(57)【要約】【課題】簡単な構造で、使用後のプラスチックボトルをコンパクトに折り畳みでき、取手をストッパーとすることによって容器の弾性復帰を防止でき、最終的に嵩張らない易折畳性取手付容器を提供する。【解決手段】取手を備えた容器の胴部を折畳可能にし、前記取手は、その基端が前記容器に接続しその先端と前記容器との間に隙間を空けてなり、前記胴部を折り畳んだ後、折り畳み後の前記容器を前記隙間を通して前記取手にて係合することで、取手を折り畳み後の容器の弾性復帰を防止するストッパーとしても機能させることができる。このようにすることで、取手を除いて折り畳んだ後の容器が取手により係合し、容器が弾性復帰せず最終的に嵩張らないため、その後の再利用や廃棄処分が容易にできる。【選択図】      図６
2004276953.tif 000002
【特許請求の範囲】
【請求項１】
取手を備えた容器の胴部を折り畳み可能に形成し、前記取手はその基端が前記容器に接続しその先端と前記容器との間に隙間を空けてなり、前記胴部を折り畳んだ後、折り畳み後の前記容器を前記隙間を通して前記取手にて係合するようにしたことを特徴とする易折畳性取手付容器。
【請求項２】
前記容器の胴部の肉厚は、０．２ｍｍないし２．０ｍｍである請求項１記載の易折畳性取手付容器。
【請求項３】
前記容器の胴部に１以上の折畳ビードを形成し、前記１以上の折畳ビードにより前記容器を１以上に折り畳んだ後、折り畳み後の前記容器を前記隙間を通して前記取手にて係合するようにした請求項１または２記載の易折畳性取手付容器。
【請求項４】
前記取手は前記容器と一体に成形してなる請求項１ないし３のいずれか１項記載の易折畳性取手付容器。
【請求項５】
前記取手は前記容器の胴部より高剛性である請求項１ないし４のいずれか１項記載の易折畳性取手付容器。
【請求項６】
前記容器における前記取手用凹部の縦面は、前記容器の口部の中心軸線を基準として、前記容器の口部端面より外側に位置している請求項１ないし５のいずれか１項記載の易折畳性取手付容器。
【請求項７】
前記容器における前記取手の接続部から下部の前記胴部を厚肉にすると共に、前記容器の口部の中心軸線を基準として前記接続部から両側にほぼ９０度隔てた前記胴部に縦方向の補強ビードを設けた請求項１ないし６のいずれか１項記載の易折畳性取手付容器。
【請求項８】
前記折畳ビードは、前記容器を折り畳んだ際内側となる折畳ビードは内側に凸に形成し、外側となる折畳ビードは外側に凸に形成して、折り畳みに方向性を付与してなる請求項１ないし７のいずれか１項記載の易折畳性取手付容器。
【請求項９】
前記胴部には、ボトルの折り畳みを補佐する縦方向に凸部状のビードと、底部近傍に逆Ｖ字状の凸部状ビードが形成されている請求項１ないし８のいずれか１項記載の易折畳性取手付容器。
【発明の詳細な説明】
【０００１】
【発明の属する技術分野】
本発明は、易折畳性取手付容器に関し、より詳しくは、容器に接続し先端が容器との間に隙間がある取手を備えた容器の胴部に、１以上の折畳ビードを形成し、これにより容器を１以上に折り畳んだ後、隙間を通して取手にて係合することで、取手を容器の弾性復帰を防止するストッパーとしても機能させるようにした易折畳性取手付容器に関する。
【０００２】
【従来の技術】
取手付容器は、持ち運びや内容物を小分けする際の使い勝手が良いため、油や調味料、酒類、洗剤などの０．８から５リットル程度の大型容器として多用されている。その反面、取手付容器は使い勝手を良くする取手がその内容物を使用した後の廃棄を困難にしている。すなわち、取手付容器をコンパクトに折り畳もうとすると、取手が邪魔をすることになる。したがって、従来の取手付容器の使用後の減容化の手段として、取手をも屈折できるようにした下記のものが知られている。
【０００３】
【特許文献１】特開平１１−３２１８３５号公報
特許文献１は、取手付容器の取手に屈曲変形部を形成し、この屈曲変形部により屈曲可能として、取手は無論容器をも押し潰し、折り畳むことを可能としたものである。
【０００４】
【特許文献２】特開２０００−１６８７５７号公報
また、特許文献２は、口部、胴部及び底部からなる容器の胴部をくり抜くように取手を形成し、その取手の胴部との接続部に折り曲げリブを配設すると共に取手の外表面に段部を設け、更に下部胴部の所定箇所に折り曲げリブを配設して、取手と容器をも押し潰し可能とし、折り畳むことを可能としたものである。
【０００５】
【特許文献３】特開平８−３２４５３４号公報
また、特許文献３は、取手付容器の取手における筒状側壁部との接続部近傍の窪部を蛇腹状に形成し、更に筒状側壁部の上部及び下部に水平な谷折り線を形成して、取手付容器を偏平に折り畳み易くし、廃棄時に嵩張らないようにしたものである。
【０００６】
【特許文献４】特開２００１−１１４２４３号公報
また、特許文献４は、取手付容器の底部に係止片を設け、取手付容器の折り畳み後に係止片を口部内周に係合させるようにして、取手付容器を折り畳んだ後の弾性復帰を防止するようにしたものである。
【０００７】
【特許文献５】特開２００１−３１０８５号公報
特許文献５は、取手付容器の所定箇所に屈曲用のリブが設けられ、更に取手付容器の外面の一部に所定の折り畳み形状を保持する止着テープを設けてなり、取手付容器の折り畳み後に止着テープで止めて、弾性復帰を防止するようにしたものである。
【０００８】
【特許文献６】特開２０００−４３８３７号公報
特許文献６は、本願出願人の出願にかかるものであり、胴部の上部を傾斜部とし、傾斜部に取手を設け、傾斜部下の胴部に胴部折り曲げ線を設けると共に、底部に底部折り曲げ線を設けてなり、取手付容器を偏平に折り畳み易くし、廃棄時に嵩張らないようにしたものである。
【０００９】
【特許文献７】特許第２７９６９１３号公報
さらに、特許文献７は、容器の側面に取手取付部を形成し、取手取付部に別体の取手を取り付け、この別体の取手はその基端が取手取付部に接続して片持ち状態にし、その先端は容器との間に隙間を空けるようにしたものである。但し、これは特に偏平に折り畳み易くし、廃棄時に取手を利用して折り畳んだ後の弾性復帰を防止して、嵩張らないようにしたものではない。
【００１０】
【発明が解決しようとする課題】
特許文献１、２の取手付容器は、いずれも取手を屈曲でき容器を押し潰し、折り畳むことができるが、その後に弾性復帰してしまい、思ったほどの容積の減少化、つまり、減容化を図ることができない。また、特許文献３の取手付容器は、取手を屈曲できないが、容器を押し潰し折り畳むことができるが、これも、その後に特許文献１と同様に容器が弾性復帰してしまい、思ったほどの減容化を図ることはできない。また、特許文献４の取手付容器は、取手を屈曲でき容器を押し潰し、折り畳むことができ、更に、係止片により容器の弾性復帰を防止でき理想通りの減容化を図れるが、係止片を別途設けなければならず、形状が複雑化し、製造効率が落ち結果的にコスト高となる。また、特許文献５の取手付容器は、取手を屈曲できないこと以外特許文献４と状況が同じであり、理想通りの減容化を図れるが、止着テープを別途設けなければならず、形状が複雑化し、製造効率が落ち結果的にコスト高となる。
【００１１】
本出願人の出願にかかる特許文献６の取手付容器は、取手を屈曲できないが偏平に折り畳むことができ廃棄時に嵩張らないようにできるが、この文献記載のものも容器が弾性復帰してしまう傾向があり、減容化の点では問題が残っている。さらに特許文献７の取手付容器の取手は片持ちであり、取手の先端と容器との間に隙間を空けてあるが、この隙間部分は、廃棄時に取手を利用して折り畳んだ後の弾性復帰を防止して、嵩張らないようにしたものではない。
【００１２】
以上述べたように、先行技術には、使用後のボトルをコンパクトに折りたたみ、この折りたたみ状態をボトルに付設した取手を利用して維持し、ボトルの減容化を図るという技術思想は記載も示唆もされていない。
そこで、本発明の目的は、簡単な構造でありながら、ボトルをコンパクトに折り畳みすることができ、ボトルに付設した取手をストッパーとして活用してボトルの弾性復帰を防止できて、最終的に嵩張らないようにすることができる易折畳性取手付容器を提供することにある。
【００１３】
【課題を解決するための手段】
本発明は、上記目的を達成するために提案されたものであって、下記の構成からなることを特徴とするものである。
すなわち、本発明によれば、取手を備えた容器の胴部を折り畳み可能に形成し、前記取手はその基端が前記容器に接続しその先端と前記容器との間に隙間を空けてなり、前記胴部を折り畳んだ後、折り畳み後の前記容器を前記隙間を通して前記取手にて係合するようにしたことを特徴とする易折畳性取手付容器が提供される。
【００１４】
また、本発明によれば、前記容器の胴部の肉厚は、０．２ｍｍないし２．０ｍｍである上記易折畳性取手付容器が提供される。
【００１５】
また、本発明によれば、前記容器の胴部に１以上の折畳ビードを形成し、前記１以上の折畳ビードにより前記容器を１以上に折り畳んだ後、折り畳み後の前記容器を前記隙間を通して前記取手にて係合するようにした上記易折畳性取手付容器が提供される。
【００１６】
また、本発明によれば、前記取手は前記容器と一体に成形してなる上記易折畳性取手付容器が提供される。
【００１７】
また、本発明によれば、前記取手は前記容器の胴部より高剛性である易折畳性取手付容器が提供される。
【００１８】
また、本発明によれば、前記容器における前記取手用凹部の縦面は、前記容器の口部の中心軸線を基準として、前記容器の口部端面より外側に位置している上記易折畳性取手付容器が提供される。
【００１９】
また、本発明によれば、前記容器における前記取手の接続部から下部の前記胴部を厚肉にすると共に、前記容器の口部の中心軸線を基準として前記接続部から両側にほぼ９０度隔てた前記胴部に縦方向の補強ビードを設けた上記易折畳性取手付容器が提供される。
【００２０】
また、本発明によれば、前記折畳ビードは、前記容器を折り畳んだ際内側となる折畳ビードは内側に凸に形成し、外側となる折畳ビードは外側に凸に形成して、折り畳みに方向性を付与してなる上記易折畳性取手付容器が提供される。
【００２１】
また、本発明によれば、前記胴部には、ボトルの折り畳みを補佐する縦方向に凸部状のビードと、底部近傍に逆Ｖ字状の凸部状ビードが形成されている上記易折畳性取手付容器が提供される。
【００２２】
【発明の実施の形態】
以下に、図面を参照して本発明の実施の形態を説明する。
第１の実施例
図１は本発明の実施の形態を示す易折畳性取手付容器の斜視図、図２はその正面図、図３は図２のＩＩ−ＩＩ  線に沿う断面図である。
図面において、易折畳性取手付容器１は、取手２を備えた容器３の胴部４に１以上の折畳ビード５を形成し、その取手２はその基端２ａが容器３に接続しその先端２ｂと容器３との間に隙間６を空けてなり、折畳み時の形態としては、１以上の折畳ビード５により容器３を１以上に折り畳んだ後、図６に示したように、折り畳み後の容器３を隙間６を通して取手２にて係合することにより、取手２を折り畳み後の容器３の弾性復帰を防止するストッパーとしても機能させるようにしたものである。
【００２３】
前記容器３は、形状には特に限定がなく、また材質においても、折畳可能な程度の柔軟性を有するプラスチック容器であれば特に限定はないが、取手２の下端部が開放端になっており、この下端部と容器胴体の隙間に、下端部から折り畳まれた状態のボトルを巻き込むことにより、折畳状態を維持できるものであれば良い。また、容器胴部の肉厚は０．２ｍｍないし２．０ｍｍであることが好ましい。容器胴部の肉厚が０．２ｍｍ未満であると容器に求められる落下強度が保持できないし、２．０ｍｍを超える場合には胴部の折り畳みが容易には行なえなくなり、また、折り畳み後にもとの形状に戻ろうとする弾性復帰しやすくなり、折り畳み形状の保持が困難になる。
このような折畳状態を形成するための容器３は、どちらかといえば、油や調味料、酒類、洗剤などの０．８リットルから５リットル程度の比較的大型のものであるのが良い。この実施の形態では、容器３は高密度ポリエチレン（ＨＤＰＥ）のボトルであり、口部１０、胴部４及び底部１１からなり、口部１０にはネジ１２が切られ蓋（図示せず）が螺着される。
【００２４】
取手２は、容器３の口部１０と胴部４との境目から延出して一体に形成してなる。すなわち、この取手２は片持ちであり、取手２の先端２ｂと容器３の胴部４との間には前記隙間６が空けられ、且つ取手２と容器３との間に少なくとも人の手指が入るだけの取手用凹部１３がある。この取手２は、折り畳み後の容器３の弾性復帰を防止するストッパーとしても機能させるものであり、容器３の胴部４よりも高い剛性を有していることが好ましく、ここでは厚肉にして高剛性を確保している。また、取手２部分を高硬度の材質としても良く、更に形状によって高剛性としても良い。さらに、使用時の取手部分の補強のために、取手の先端と容器胴部を別部材で取り外し可能に連接しておき、廃棄時に該別部材を取り外してもよいし、取手先端に切り込み、薄肉等による易切り取り部を形成して取手先端が切り離し可能に容器胴部に連接された状態で一体成形しておき、容器の廃棄時に取り外してもよい。
【００２５】
また、容器３における取手用凹部１３の縦面７は、前記容器の口部の中心軸線Ｌを基準として、前記容器の口部端面より外側に位置させて、縦圧縮強度を高め容器３の座屈を防止している。更に、容器３における取手２の接続部１４から下部の前記胴部４を少なくとも取手用凹部１３下方の屈曲部を厚肉にすると共に、容器３の口部１０の中心軸線Ｌを基準として接続部１４から両側にほぼ９０度隔てた胴部４に縦方向の外側に凸の補強ビード１５を設けている。
【００２６】
この補強ビード１５は、胴部４の中間部にある後述の折り畳みビード２０により分断され、上部補強ビード１５ａ、１５ａと、下部補強ビード１５ｂ、１５ｂとに分かれている。これは容器３を折り畳み易いようにするためである。なお、これらの上部補強ビード１５ａ、１５ａ及び下部補強ビード１５ｂ、１５ｂは、後述のように折畳ビードとしても作用する。
【００２７】
前記１以上の折畳ビード５は、容器３をどのような形状に折り畳むかによりその位置、形状、本数が変わる。この実施の形態では、容器３の胴部４の下部に横方向の折畳ビード２１が形成され、両側の下部補強ビード１５ｂを中心として、折畳ビード２１の下の胴部４に逆Ｖ字状の斜めの折畳ビード２２、２２が付けられ、更に、両側の下部補強ビード１５ｂ間の胴部４に３段の横方向の折畳ビード２３ａ、２３ｂ、２４ａ、２４ｂ、２５ａ、２５ｂが付けられている。２０はラベル貼付用の段差である。
【００２８】
これらの横方向の折畳ビードのうち、取手２側に位置している折畳ビード２３ｂ、２４ｂ、２５ｂは、内側に凸となっており、他の折畳ビード２３ａ、２４ａは、外側に凸となっている。これは容器３を折り畳んだ際内側となる折畳ビード２３ｂ、２４ｂ、２５ｂを内側に凸に形成し、外側となる折畳ビード２３ａ、２４ａを外側に凸に形成して、折り畳みに方向性を付与して、折り畳み易くするためのものである。なお、最下段の取手の側とは反対側の折畳ビード２５ａは、容器３を折り畳んだ際外側となるがビード形状は内側に凸に形成している。これは取手２側の折畳ビード２５ｂと相俟って容器３の下部の強度を保持するためである。すなわち、上段の折畳ビード２３ａ、２４ａにより、加えて取手２側の折畳ビード２３ｂ、２４ｂ、２５ｂによって、折り畳みの方向性を充分付与してあるので折り畳み易さの点では支障がない。
なお、容器３の底部１１の形状を保持するため、補強ビード２６が胴部４との境目に付けられ、容器３を折り畳んだ際底部１１の形状が保持される。
【００２９】
第２の実施例
図７は本発明の第２の実施例を示す容器の側面図であり、図８は、それを取手側からみた側面図である。図７のＩＩＩ−ＩＩＩ線断面を図９に示し、  ＩＶ−ＩＶ線断面を図１０に示した。
この実施例に示した容器の特徴は、取手２の接続部１４から下部の胴部４の横断面形状にあり、縦方向の圧縮強度を向上させるために、取手用凹部１３の縦面の横断面形状を、局所に応力が集中することを回避するために、できるかぎりフラットに形成することが基本的なコンセプトである。具体的には、図９および図１０に示したように、横断面形状を外方になだらかな円弧状とすることが好ましい。また、図８に示したように、取手用凹部の縦面に１以上の補強ビード３１を縦ビードとして形成することであり、取手２自体に補強ビード３２を形成してもよい。
【００３０】
さらに、容器の運搬や搬送の際に積載効率を阻害しないようにするために、図７に示したように、容器胴部に形成する凸部状ビードを胴部面から突出しないようにするためにビードに隣接する部分を凹部に形成し、その底辺から凸部状ビードが形成されれば、全体として胴部壁面が面一に形成されることになり、容器の積載効率を阻害することがなくなる。図７に示した他の特徴は、補強ビード１５と逆Ｖ字状の折畳ビード２２が、折畳ビード２１を介して繋がれた状態で形成されていることである。これにより、容器の折り畳み性が一層向上する。
【００３１】
第３の実施例
本発明の第３の実施例は、図７のＩＩＩ−ＩＩＩ  線断面に相当する部分が、図１１に示したように、容器口部の中心軸線が取手２の接続部１４から下部の胴部４の横断面形状の中央部近傍に位置するように構成したものである。この構成は、容器に内容物を充填してキャッピングする時の縦方向の圧縮強度を向上させるという特徴がある。
【００３２】
次に、上記構成になる易折畳性取手付容器１の利用について説明する。
容器３の内容物を消費しきった後、蓋を外したままで、まず、折畳ビード２１、上部補強ビード１５ａ、１５ａ及び下部補強ビード１５ｂ、１５ｂを折畳ビードとして利用し、容器３を押し潰すと、胴部４の中間部は口部１０に近い部分を除いて板状になり、底部１１は補強ビード２６により形状が保持され、底部１１に近い胴部４の下部は斜めの折畳ビード２２、２２により底部１１と相俟って板状となり、容器３は結局図４に示すような形状となる。
【００３３】
次に、底部１１を容器３下部の折畳ビード２１により、図５に示すように折り畳み、更に、胴部４を容器３の中間部の折畳ビード２３ａ、２３ｂ、２４ａ、２４ｂ、２５ａ、２５ｂにより取手２側に折り畳み、容器３の底部１１を隙間６を通して、図６に示すように取手２にて係合すると、取手２は折り畳み後の容器３の弾性復帰を防止するストッパーとしても機能することになり、容器３は限りなく小さく折り畳めてその形状復帰がなく、その後の再利用や廃棄処分を容易にすることができる。
【００３４】
以上、本発明の実施の形態を説明したが、具体的な構成はこれに限定されず、本発明の要旨を逸脱しない範囲での設計変更は適宜なし得るものと理解されるべきである。
【００３５】
【発明の効果】
以上詳述したように、本発明によれば、１以上の折畳ビードにより取手を除き容器を１以上に折り畳んだ後、それを取手との隙間に通して折り畳み後の容器を取手により係合し、容器の弾性復帰を防止するストッパーとしても機能させることができる。したがって、簡単な構造であるのに、コンパクトに折り畳みできその弾性復帰を防止できて、最終的に嵩張らないようにすることができ、その後の再利用や廃棄処分を容易にすることができる効果がある。
また、取手を容器の胴部より高剛性にすることにより、胴部を折り畳んでも取手が形状を保持し、容器の弾性復帰を防止するストッパーとしての機能を確保できる。
また、容器における取手の接続部端面は、口部の中心軸線を基準として、口部端面より外側にあるから、容器に対する縦圧縮強度が高まる。さらに、折畳ビードに折り畳みの方向性を付与してあるため、折り畳みが正しく且つ容易に行われる効果がある。
【図面の簡単な説明】
【図１】本発明の第１の実施例の形態を示す易折畳性取手付容器の斜視図である。
【図２】図１の正面図である。
【図３】図２のＩＩ−ＩＩ  線に沿う断面図である。
【図４】本発明の易折畳性取手付容器の折り畳み状況を例示する斜視図である。
【図５】本発明の易折畳性取手付容器の他の折り畳み状況を例示する斜視図である。
【図６】本発明の易折畳性取手付容器の最終的な折り畳み状況の斜視図である。
【図７】本発明の第２の実施例を示す易折畳性取手付容器の側面図である。
【図８】図７の易折畳性取手付容器を取手方向から見た側面図である。
【図９】図７のＩＩＩ  −ＩＩＩ  線に沿う断面図である。
【図１０】図７のＩＶ−ＩＶ線に沿う断面図である。
【図１１】本発明の第３の実施例を示す取手部分の横断面図である。
【符号の説明】
１  ・・・・・・・・・・  易折畳性取手付容器
２  ・・・・・・・・・・  取手
２ａ・・・・・・・・・・  基端
２ｂ・・・・・・・・・・  先端
３  ・・・・・・・・・・  容器
４  ・・・・・・・・・・  胴部
５  ・・・・・・・・・・  折畳ビード
６  ・・・・・・・・・・  隙間
７  ・・・・・・・・・・  縦面
１０・・・・・・・・・・  口部
１１・・・・・・・・・・  底部
１２・・・・・・・・・・  ネジ
１３・・・・・・・・・・  取手用凹部
１４・・・・・・・・・・  接続部
１５、２６・・・・・・・  補強ビード
１５ａ・・・・・・・・・  上部補強ビード
１５ｂ・・・・・・・・・  下部補強ビード
２０・・・・・・・・・・  ラベル貼付用の段差
２１，２３ａ，２３ｂ、２４ａ，２４ｂ，２５ａ、２５ｂ
・・・・・・・・・・・・  横方向の折畳ビード
２２・・・・・・・・・・  斜めの折畳ビード
Ｌ  ・・・・・・・・・・  中心軸線
３１、３２・・・・・・・  第２の実施例の取手部分の補強ビード
【図１】
2004276953.tif 000003
【図２】
2004276953.tif 000004
【図３】
2004276953.tif 000005
【図４】
2004276953.tif 000006
【図５】
2004276953.tif 000007
【図６】
2004276953.tif 000008
【図７】
2004276953.tif 000009
【図８】
2004276953.tif 000010
【図９】
2004276953.tif 000011
【図１０】
2004276953.tif 000012
【図１１】
2004276953.tif 000013